(57)【要約】【課題】  リング状ゴム芯の全周に被覆される糸環を伸縮性の良いものにし、装着感のよい装飾バンドを提供する。【解決手段】  リング状ゴム芯の全周に糸環を被覆させた装飾バンドにおいて、糸環が左右２本の針糸と１本のルーパ糸及び１本の飾り糸の４本の糸で構成され、前記針糸のループが前記ゴム芯の上部で既に渡っている飾り糸のループを通り抜けると共に、該針糸ループが前記ゴム芯の下部でルーパ糸の二つに分かれたループを通り抜けてルーパ糸の他の一つのループと他糸ルーピングし、前記ゴム芯が左右の針糸ループの間に配置されている。【選択図】          図３
2005143768.tif 000002
【特許請求の範囲】
【請求項１】
リング状ゴム芯の全周に糸環を被覆させた装飾バンドにおいて、糸環が左右２本の針糸と１本のルーパ糸及び１本の飾り糸の４本の糸で構成され、前記針糸のループが前記ゴム芯の上部で既に渡っている飾り糸のループを通り抜けると共に、該針糸のループが前記ゴム芯の下部でルーパ糸の二つに分かれたループを通り抜けてルーパ糸の他の一つのループと他糸ルーピングし、前記ゴム芯が左右の針糸ループの間に配置されていることを特徴とする装飾バンド。
【請求項２】
糸環について、針糸がスパン糸で構成され、ルーパ糸および飾り糸がウーリ糸で構成される請求項１記載の装飾バンド。
【発明の詳細な説明】
【技術分野】
【０００１】
本発明は、伸縮性を有する装飾バンドに関し、特に頭髪の装飾等に用いられるリング状の装飾バンドに関するものである。
【背景技術】
【０００２】
従来の装飾バンドとしては、リング状ゴム芯の全周に糸環を被覆させたものが知られている（例えば、特許文献１を参照。）。リング状ゴム芯に関しては、接合部分を有していないものがある。
【０００３】
【特許文献１】特開平７−５１１２０号公報(第３−４頁、第２図)
【発明の開示】
【発明が解決しようとする課題】
【０００４】
ところが従来の装飾バンドにおいては、一方向から給糸されるカバー糸と他方から給糸されるカバー糸とがミシンの千鳥がけのごとき方法で互いに交綴することにより糸環が形成されていた。この方法では、リング状ゴム芯の左側と右側に交互に針を上下させるか、またはリング状ゴム芯自体を針の上下動に合わせて左右に揺動させる必要があった。その結果、作業性が悪くなり、生産効率に影響を与えていた。
【０００５】
従って、本発明の課題は、リング状ゴム芯の全周を糸環で被覆させる為に作業性良く、生産効率を改善させた装飾バンドを提供することを目的としている。
【課題を解決するための手段】
【０００６】
本発明は、上記目的を達成する為に、リング状ゴム芯の全周に糸環を被覆させた装飾バンドにおいて、糸環が左右２本の針糸と１本のルーパ糸及び１本の飾り糸の４本の糸で構成され、前記針糸のループが前記ゴム芯の上部で既に渡っている飾り糸のループを通り抜けると共に、該針糸のループが前記ゴム芯の下部でルーパ糸の二つに分かれたループを通り抜けてルーパ糸の他の一つのループと他糸ルーピングし、前記ゴム芯が左右の針糸ループの間に配置されていることを特徴とする。
【０００７】
なお糸環について、針糸をスパン糸で構成し、ルーパ糸および飾り糸をウーリ糸で構成するのが望ましい。
【発明の効果】
【０００８】
以上のように、本発明によれば、リング状ゴム芯が左右の針糸ループの間に配置されるので、作業性良く生産効率を改善させた装飾バンドを提供することができる。なおルーパ糸および飾り糸をウーリ糸にすると、頭髪等への引っ掛かりが大幅に軽減される。
【発明を実施するための最良の形態】
【０００９】
以下、本発明の実施の形態を図面に基づいて説明する。図１は、本発明に係る装飾バンドの概略図である。装飾バンド１はリング状ゴム芯２と糸環３とで構成されている。リング状ゴム芯２は公知のものであって十分な伸縮性を有する。このゴム芯２は、接合部分を備えておらず、１ｍｍ程度の太さとなっている。またゴム芯２の周長は、通常、約１００ｍｍとなっている。なお本実施の形態では詳述していないが、リング状ゴム芯２の断面形状は円形、方形、楕円形ないし台形のいずれであっても好適に使用できる。
【００１０】
一方、糸環３は、図３に示されるように、左右２本の針糸４，５、１本のルーパ糸６および１本の飾り糸７で構成されている。この糸環３はリング状ゴム芯２の全周に被覆されている。リング状ゴム芯２に対する糸環３の被覆手段としては、図４に示されるような公知の偏平縫いミシンＭを用いると良い。この偏平縫いミシンＭは２本の針８，８、１本のルーパ９及び１本のスプレッダー１０（図５）を備えている。上軸Ｓが回転すると、針８，８は上下に揺動すると共にルーパ９は左右に揺動する。この時、スプレッダー１０は糸案内１１の下方で左右に揺動し、スプレッダー１０の鉤部１０ａは飾り糸７に係合する。
【００１１】
各部材８，９，１１に個別に挿入された糸４，５，６，７は縫製部１２でミシンの稼動時に絡み合い、そこで糸環３が形成される。この糸環３の絡み合い方としては、図２ないし図３に示されるように、針糸４，５のループ４ａ，５ａが、前記ゴム芯２の上部で既に渡っている飾り糸７のループ７ａ、７ｂを通り抜ける。そして、該ループ４ａ，５ａは、前記ゴム芯２の下部でルーパ糸６の二つに分かれたループ６ａ，６ｂを通り抜けてルーパ糸６の他の一つのループ６ｃと他糸ルーピングしている。
【００１２】
このミシンＭにおいてリング状ゴム芯２の全周に糸環３を被覆させるためには、針８，８の間となるよう縫製部１２にリング状ゴム芯２をセットする必要がある。セットされたゴム芯２は公知の押え金１３で縫製部１２に押圧され、公知の送り歯（図示せず）はミシンの稼動（針８，８の上下動）と共にゴム芯２を周方向に送る。この時、針糸４，５のループ４ａ，５ａの間に前記ゴム芯２が配置されながらリング状ゴム芯２に糸環３が被覆される。そして、糸環の始め部分と最終部分とを重ねて糸を絡ませ、リング状ゴム芯２の全周に糸環３を被覆させる。その後、ミシンに連なる各糸４，５，６，７を切断し、縫製完了品（装飾バンド）をミシンの縫製部１２より取り外す。
【００１３】
また糸環について、針糸４，５をスパン糸で構成すると共にルーパ糸６および飾り糸７をウーリ糸で構成すると、頭髪等への引っ掛かりが大幅に軽減される。本実施の形態では詳述しなかったが、ミシンによる縫製時にリング状ゴム芯を引っ張っておくと、リング状ゴム芯に被覆される糸環がより収縮することとなり、装飾バンドとしての見栄えが良くなる。
【産業上の利用可能性】
【００１４】
装飾バンドの周長を変更することによって、アームバンドにも適用することができる。
【図面の簡単な説明】
【００１５】
【図１】本発明に係る装飾バンドの概略図である。
【図２】装飾バンドの拡大説明図である。
【図３】リング状ゴム芯に被覆された糸環を示す説明図である。
【図４】同上装飾バンドを制作するための偏平縫いミシンを示す概略斜視図である。
【図５】同上ミシンの縫製部周辺を示す拡大斜視図である。
【符号の説明】
【００１６】
１              装飾バンド
２              リング状ゴム芯
３              糸環
４，５          針糸
４ａ，５ａ      針糸のループ
６              ルーパ糸
６ａ〜６ｃ      ルーパ糸のループ
７              飾り糸
７ａ，７ｂ      飾り糸のループ
【図１】
2005143768.tif 000003
【図２】
2005143768.tif 000004
【図３】
2005143768.tif 000005
【図４】
2005143768.tif 000006
【図５】
2005143768.tif 000007